(57)【要約】【課題】【解決手段】シンプルで小型の構成を有し、チューブから内容物を効果的に搾り出すことができ、その状態でチューブを保持することができるチューブスクィーザ（１）。このチューブスクィーザは、長さ方向に沿う一端側（１ａ）が閉塞され、他端側（１ｂ）から内容物を吐出するチューブ（１）と、前記チューブの一端部に幅方向に沿って一体的に設けられたフレーム（３）と、このフレームに取り付けられた本体部（６）と、前記本体部から延出されたアーム（７）とを有するハンドル（４）とを有する。前記本体部は前記チューブの幅方向に突出しており、それにより利用者が前記フレームで前記チューブを巻き上げる際に把持することができる。前記アーム部は本体から延び、先端部（７ａ）が前記チューブの一部とオーバーラップするようになっている。【選択図】図１
2004533973.tif 000002
【特許請求の範囲】
【請求項１】
長さ方向に沿う一端側が閉塞され、他端側から内容物を吐出するチューブと、
前記チューブの一端部に幅方向に沿って一体的に設けられ、このチューブの一端部を保持するフレームと、
このフレームに取り付けられた本体部と、前記本体部から延出された２つのアームとを有し、前記アームの各々は、前記ハンドルを回動させた場合、前記チューブ表面に垂直に当接するようになっている、ハンドルと、
前記本体部は前記チューブの幅方向外側に突出し利用者が前記フレームで前記チューブを巻き上げる際に把持することができ、
前記アーム部はこの本チューブを巻き上げた後この先端部を前記チューブの表面と係合させることで前記チューブの巻き戻りを防ぐようになっており、さらに、前記本体部は、１つのアームと前記チューブとの重なり部分を多くする方向に回動可能に取り付けられており、一方のアーム部の先端部が前記チューブの表面に当たるように前記ハンドルを回転させた場合、他方のアーム部の先端部は前記チューブの外側に沿う線よりも外方に移動するようになっている
ことを特徴とするチューブスクィーザ。
【請求項２】
請求項１のチューブスクィーザにおいて、
前記ハンドルは、中立の状態で、一方のアーム部の先端部が前記チューブの一部分と重なるようになっている
ことを特徴とするチューブスクィーザ。
【請求項３】
請求項１のチューブスクィーザにおいて、
前記アーム部の先端部が球形状に形成されている
ことを特徴とするチューブスクィーザ。
【請求項４】
請求項１のチューブスクィーザにおいて、
前記アーム部の先端部が前記フレームに向かって延出するように形成されている
ことを特徴とするチューブスクィーザ。
【請求項５】
請求項１のチューブスクィーザにおいて、
前記ハンドルの本体部とフレームとの当接部分に係合手段が形成され、この係合手段によってハンドルがロックされるようになっている
ことを特徴とするチューブスクィーザ。
【請求項６】
請求項１記載のチューブスクィーザにおいて、
前記チューブの一端部には、このチューブを吊り下げて陳列するためのタブが一体的に設けられ、
このタブは前記利用者がチューブを巻き上げる際に、前記フレームによって巻き取られるように構成されている。
【請求項７】
チューブスクィーザであって、
チューブの一端部に幅方向に沿って取り付け可能であり、このチューブの一端部を保持するフレームと、
このフレームに回動可能に取り付けられた本体部と、この本体部から外側に延出され、先端部を持つ、１つ以上のアーム部とを有するハンドルと
を有し、
前記本体部は利用者が前記フレームで前記チューブを巻き上げる際に把持することができ、
前記アーム部はこの本体部から先端部が前記チューブの一部分と重なるように延出され、前記チューブを巻き上げた後この先端部を前記チューブの表面と係合させることで前記チューブの巻き戻りを防ぐようになっている
ことを特徴とするチューブスクィーザ。
【請求項８】
チューブスクィーザであって、
長さ方向に沿う一端側が閉塞され、開いた他端側から内容物を吐出するチューブと、
前記チューブの一端部に一体的に設けられ、このチューブの一端部を保持するフレームと、
前記フレームの、前記チューブに取り付けられた部分から離間した部位に回動自在に取り付けられた本体部と、この本体部から外側に延出され、左右対称に反対方向に延びる２つのアーム部を有するハンドルと、を有し、
利用者が前記フレームで前記チューブを巻き上げる際に把持することができ、
前記ハンドルが回動させられたときに前記アームの一方の先端部が前記チューブの一部分と重なり、前記本体部は、前記第一のアームの先端部と前記チューブの一部との重なりが大きくなる方向に回動し、前記の第２のアームの先端部が前記チューブの外側に沿う線よりも外方に移動するように構成され、前記一方のアームの先端部が前記チューブの表面と係合して前記チューブの巻き戻りを防ぐようになっている
ことを特徴とするチューブスクィーザ。
【請求項９】
チューブを搾り出すためのチューブスクィーザであって、
前記チューブの一端部を保持する目的で、前記チューブの一端部に取り付けるための部分を有するフレームと、
前記フレームの、前記チューブに取り付けられた部分から離間した部位に回動自在に取り付けられたハンドルであって、本体部と前記本体部から外側に反対方向に延出された２つのアームを有し、各アームは先端部を有する、ハンドルと
を有し、
利用者は前記フレームで前記チューブを巻き上げる際に前記ハンドルを把持することができ、
前記ハンドルが回動させられたときに前記アームの一方の先端部が前記チューブの一部分と重なり、前記本体部は、前記１アームの先端部と前記チューブの一部とが重なり、前記一方のアームの先端部が前記チューブの表面と係合して前記チューブの巻き戻りを防ぐようになっている
ことを特徴とするチューブスクィーザ。
【発明の詳細な説明】
【技術分野】
【０００１】
本発明は、練り歯磨きや各種の化粧品、化学品等のチューブの内容物を絞り出すために使用するチューブスクィーザに関する。
【背景技術】
【０００２】
従来より、チューブに収納した内容物を絞り出すためのチューブスクィーザが知られている。
【０００３】
例えば、ＵＳＰ５,８８４,８１２号には、チューブの下端部をハウジング及び回転軸の各スリットに差込み、回転軸の一端に設けたキーを回転させてチューブの下端をハウジング内の回転軸に巻きつけるようにしたチューブスクィーザが開示されている。
【０００４】
しかしこのような構成では、スクィーザが大型で邪魔になるだけでなく、回転軸が反転して巻き取ったチューブが解けるおそれがあり、そのため、毎回チューブを巻き上げ直す必要がある。また、利用者は、チューブの内容物を絞り出す際にキーが反転しないように押さえておく必要がある。
【発明の開示】
【課題を解決するための手段】
【０００５】
本発明は上記の課題を解決するためになされたもので、その主な目的は、簡易かつ小型の構成でチューブを効果的にスクィーズでき、かつ、スクィーズした状態でチューブを確実に保持できるチューブスクィーザを提供することにある。
【０００６】
この目的を解決するため、この発明の主要な観点によれば、長さ方向に沿う一端側が閉塞され、他端側から内容物を吐出するチューブと、前記チューブの一端部に幅方向に沿って一体的に取り付けられ、このチューブの一端部を保持するフレームと、このフレームに取り付けられた本体部とこの本体部から延出されたアーム部とを有するハンドルとを有し、
前記本体部は前記チューブの幅方向外側に突出し利用者が前記フレームで前記チューブを巻き上げる際に把持することができ、前記アーム部はこの本体部から先端部が前記チューブの一部分と重なるように延出され、前記チューブを巻き上げた後この先端部を前記チューブの表面と係合させることで前記チューブの巻き戻りを防ぐようになっているチューブスクィーザが提供される。
【０００７】
このような構成によれば、チューブと一体型で小型であると共に、チューブを巻き上げた後、アーム部の先端部をチューブに引っ掛けることでチューブの巻き戻りを防止できる。なお、前記フレームは前記チューブと別の部品であっても良いし、一体の部品であっても良い。
【０００８】
この発明の１の実施態様によれば、前記ハンドルの本体部は、前記フレームに、前記アーム部とチューブとの重なり部分を多くする方向に回動可能に取り付けられている。ここで、前記ハンドルのアームは、前記ハンドルを回動させた場合、その先端部が前記チューブの表面に対して垂直に当接するように成形するのが好ましい。
【０００９】
このような構成によれば、アーム部の先端部を回動させることで、この先端部とフレームとの間でチューブを挟んで保持することができる。
【００１０】
この発明の別の１の実施態様によれば、前記ハンドルのアームは２本設けられ、各アームは、本体の前記フレームを挟んで対称となる位置からそれぞれ延出されており、一方のアーム部の先端部が前記チューブの表面に当たるように前記ハンドルを回動させた場合、他方のアーム部の先端部は前記チューブの外側に沿う線よりも外方に移動するようになっている。ここで、前記ハンドルは、中立の状態で、一方のアーム部の先端部が前記チューブの一部分と重なるようになっているのが好ましい。
【００１１】
このような構成によれば、２本のアームがフレームを挟んで線対称に形成されているので、何れのアームを使ってもチューブの巻き上げ操作やチューブとアームの先端部との係止の操作を同じ様に行える。また、チューブを巻き上げる時は、２本のアーム部のうち、一方のアーム部の先端部をチューブの表面に当たる位置に回動させれば、他方のアーム部がチューブに干渉しない状態になるので、巻き上げ操作を容易に行える。
【００１２】
なお、この発明の他の特徴と顕著な効果は、後の発明の好ましい実施形態の項および添付した図面を参照することで当業者にとって明確に理解することができる。
【発明を実施するための最良の形態】
【００１３】
以下、本発明の実施の形態を図面を参照して説明する。
【００１４】
図１は、この実施形態に係るスクィーザ付きのチューブを示す正面図である。
【００１５】
前記チューブ１は、長手方向一端部１ａが押しつぶされて閉塞されており、他端部１ｂにはこのチューブ１内に封入された内容物、例えば歯磨きペーストを吐出するためのキャップ付き吐出口２が設けられている。この歯磨きペーストを前記吐出口２から吐出させるには、このチューブ１の胴体部１ｃを前記一端部１ａ側からスクィーズしていく必要がある。このタイプのチューブ１は、例えば、ポリ−フォイル−ポリ構造からなり、この構造は、薄い金属箔の両側にポリエチレンを有するものである。ただし、この発明のチューブは、この材質に限定されるものでははく、金属や銅、鉛その他、例えばアルミニウムであっても良い。
【００１６】
このスクィーズを行うため、前記チューブ１の一端部１ａには、このチューブ１の幅方向に沿って設けられ、この一端部１ａを挟んだ状態で固定された帯板状のフレーム３と、このフレーム３に前記チューブ１の胴体部１ｃを巻き付けてチューブ１のスクィーズを行うためのハンドル４が設けられている。
【００１７】
前記フレーム３及びハンドル４は、利用者が前記ハンドル４を把持してスクィーズを行った場合に捩れたり破断することないような剛性及び寸法を有するプラスチック部材、金属部材若しくはそれらの組合せの材料により形成されていることが好ましい。
【００１８】
また、前記ハンドル４は、前記フレーム３の一端部に中心軸５によって回動自在に取り付けられた本体部６と、この本体部６から延出された一対のアーム部７、８とを有する。前記本体部６は前記チューブ１の幅方向外側に突出し、利用者が前記フレーム３に前記チューブ１を巻き付けてスクィーズする際に把持することができるように配置されている。前記一対のアーム部７，８は、この本体部６からそれぞれチューブ１の長さ方向に沿って互いに逆方向に延出されている。そして、前記アーム部７、８は、このハンドル４が図１に示すように中立の状態で、両方の先端部７ａ、８ａが前記チューブ１の側部に沿う線（図にαで示す）から内側に位置するように曲げられて形成されている。
【００１９】
図２Ａは、前記フレーム３及びハンドル４のみを拡大して示す正面図であり、図２Ｂは、図２ＡのＩＩ−ＩＩ線に沿う横断面図である。
【００２０】
図２Ａ及びＢに示すように、前記フレーム３は、厚さ方向の中央部に前記チューブ１の一端部１ａ（図１参照)を挟み込むためのスリット９を有する一体成形品である。このフレーム３は、前記スリット９にチューブ１の一端部１ａを挟み込んだ状態でこのチューブ１に接着されている。なお、前記チューブ１が金属製であり、前記一端部１ａの閉塞をかしめ（ｃａｕｌｋｉｎｇ）によって行う場合には、前記チューブ１の一端部１ａに前記スリット９を巻き込んだ状態で前記かしめを行うようにしても良い。
【００２１】
また、前記ハンドル４の本体部６は、図２Ｂに示すように、前記フレーム３の一端部を挟み込んだ状態で前記プラスティック状のリベット１０によって回動自在に取り付けられている。また、前記フレーム３の表面には突起１１、前記ハンドル４の本体部６側にはこの突起１１と係合する凹部１２が夫々設けられ、このフレーム３の回転位置を規制するようになっている。前記凹部１２は、図２Ａに点線で示す位置にそれぞれ合計２つ設けられ、一方のアーム部７を利用する場合、及び他方のアーム部８を利用する場合のそれぞれの位置でこのハンドル４をロックできるようになっている。
【００２２】
次に、図３以下を参照し、前記チューブ１のスクィーズを行う場合の動作について説明する。
【００２３】
初めて利用者がチューブ１のスクィーズを行う場合、利用者は、まず、前記ハンドル４を図１に示す状態から、図３に矢印（１）で示す方向に前記突起１１と凹部１２とが係合するまで回動させて、前記一方のアーム部７の先端部７ａを前記チューブ１の裏側に挿入することが好ましい。この状態で、前記他方のアーム部８の先端部８ａは、チューブ１の側部に沿う線αから外側にはみ出すように構成されている。これにより、利用者がハンドル４を持ってチューブ１を巻き上げる際に、この他方のアーム８が前記チューブ１に引っかかるということが防止される。
【００２４】
図４は、前記ハンドルを図３の状態から矢印（２）に示す方向に１８０度回してチューブを巻き上げた状態を示すものである。この状態で、前記チューブ１の巻き戻りを防ぐためには、利用者は、前期ハンドル４を図４に矢印（３）で示す方向に回動させ、図５に示すように前記他方のアーム８の先端部８ａを前記チューブ１の裏側に挿入する。
【００２５】
この状態をチューブ１の側方から見たものが図６である。この図６に示すように、前記アーム部７、８の先端部７ａ、８ａは球状に形成されており、かつその外面全体が曲面で構成されている。このような特別な形状より、アーム部８の先端部８ａを前記チューブ１の表面と擦れさせながらこのチューブ１をフレーム３との間に挟むことができ、このときチューブ１を傷つけることがない。
【００２６】
さらに前記アーム部７、８の先端部７ａ、８ａは、前記フレーム３に向かって若干屈曲したフック状に形成され、かつその外面が曲面で形成されている。このことで、図５に示すように、前記ハンドル４を回動させて、一方のアーム部７の先端部７ａをチューブ１の表面に当てた場合、このチューブ１の表面を前記フレームに対して図に矢印（４）で示すように略垂直に押圧することができる。このことで、この部分の押圧力を高めることができるから、前記チューブ１の巻き上げが解けてしまうことが防止される。
【００２７】
そして、前記ハンドル４を、前記突起１１と凹部１２とが係合するまで回動させてロックすることで、図６の状態で、前記チューブ１を保持することができる。
【００２８】
このようにスクィーズを行った後、さらにスクィーズを行う必要がある場合には、図６の状態でハンドル４を把持して図に矢印（５）で示す方向に１８０度巻き上げる。そして、前記ハンドル４の一方のアーム７の先端部７ａを図２と同様に前記チューブ１の裏側に挿入することで、このチューブ１を巻き上げた状態でロックすることができる。
【００２９】
そして、前記歯磨きペーストを使用するに従って前記のような動作を繰り返すことで、歯磨きペーストを無駄にすることなく最後まで使用することが可能になる。
【００３０】
なお、前記フレーム３およびハンドル４は、前記チューブ１の形状・寸法に従って最適の寸法で形成されているのものであり、従って、チューブ１と一体的に固定された状態で店頭に提供されることが好ましい。ただし、図２Ａ、図２Ｂに示したように構成されている場合、前記チューブと別製品として提供されるものであっても良い。
【００３１】
この発明は上記の実施形態に限定されるものではなく、発明の要旨を変更しない範囲で種々変形可能である。
【００３２】
例えば、前記一実施形態では、フレーム３の位置を規制するために、突起１１及び凹部１２、および歯１３を設けたが、このうちの何れか一方若しくは両方を省略しても良い。
【００３３】
例えば、前記一実施形態ではハンドル４には２本のアーム部７、８が設けられていたが、一本だけにしてさらなる小型化を図ることも可能である。この場合は、アーム部を本体部６に対して回動可能に構成しても良い。このような構成によれば、ハンドル４でチューブ１を所定量巻き上げた後にアーム部をチューブ１に向けて１８０度回動させることで、上記一実施形態と同様に、アーム部の先端部をチューブ１の側部に係止させることができる。また、内容物の吐出量も調節できる。また、前記アームは回動可能であったが、ある一定の角度に固定されたものであっても良い。
【００３４】
また、前記一実施形態では、前記フレーム３をチューブ１とは別部品で構成するようにしたが、一体の部品で構成するようにしても良い。例えば、前記チューブ１の一端部１ａを胴体部１ｃと比較して厚肉になるように形成してフレーム３として使用するようにしても構わない。
【００３５】
さらに、上記一実施形態では、前記チューブ１は、歯磨きペースト用のチューブであったが、これに限定されるものではない。例えば、接着剤用のチューブであっても良い。
【００３６】
追加の効果や修正は、当業者によって簡単に想起されるものである。したがって、この発明は、その広い側面を持つもであり、ここに記載されている具体的な事項や代表的な実施例に限定されるものではない。従って、さまざまな修正がこの請求項によって定義された発明のコンセプト及びその均等物の範囲から離れることなくなされるものである。
【００３７】
また、図７Ａ及び図７Ｂは、この発明の別の実施形態に係るフレーム３及びアーム４を拡大して示す正面図及び縦断面図である。図２に示した実施形態においては、アーム４の回動面と前記フレーム３に設けられていたスリット９面が平行であったが、この図７に示された実施形態では直角になるように設けられている。すなわち、この図７に示すように、前記スリット９’は、前記フレーム３に前記アーム４の回動中心軸（リベット５の軸）方向と平行になるように設けられている。このようにアーム４の回動面とスリット９’の方向に角度を付けることでチューブ１を巻き上げる際のフレームの強度を向上させることができる。また、スリット９’の前記アーム４の回動面に対する角度は、このように平行や直角に限定されるものではなく、例えば３０度、６０度等としてももちろん良い。
【００３８】
図８は、更なる別の実施形態を示す正面図である。
【００３９】
この実施形態のチューブ１には、前記フレーム３が取り付けられたチューブ１の一端部１ａに、商品陳列時にこのチューブ１をぶら下げて陳列するための穴１５付きのタブ１４が設けられている。このタブ１４は、前記アーム４の先端部７ａ、８ｂが干渉しないように凹部１４ａが形成されている。チューブ１の陳列時には、図９に示すように、例えば陳列用の吊り下げ金具１６に前記タブ１４の穴１５を引っ掛けて多数並べて陳列可能である。
【００４０】
そして、巻上げ時には、前述したのと同様の動作により、このタブ１４もフレーム３に巻き付けられていくこととなる。従って前記タブ１４は巻き取り可能なように柔軟性を有し比較的薄い部材により構成されていることが好ましい。また、このタブ１４は前記チューブ１と一体的に構成されていることがさらに好ましい。
【００４１】
このような構成によれば、チューブ１を包装するための箱が不要になる。すなわち、この種のチューブは、通常、箱に挿入されて陳列されているが、この発明のチューブは前記アームを有するため箱に挿入することが困難である。しかしながら、この図８に示すように構成すれば陳列するのに箱が不要になり、しかも、この商品の特徴部であるアームを消費者に展示することが可能になる。
【００４２】
図１０Ａは、図８に示した例の変形例を示した図である。
【００４３】
この例では、前記タブ１４には前記凹部１４ａが設けられていない。そして、前記アーム４は、一方の先端部７ａを前記タブ１４の表面に接触された状態で透明フィルム１７等により固定されている。この場合、図１０Ｂに示すように、前記フレーム３に設けられたスリット９（図示せず）の方向とアーム４の回動面の方向は数度（５度乃至１０度）ずらして設定されており、前記アーム４の先端部７ａとタブ１４とが干渉しないように構成されていることが好ましい。
【００４４】
図１１は、前記アーム４及びフレーム３を前記チューブ１から分離してなる実施形態の変形例である。この例では、前記フレーム３の先端部にねじ部１９が形成され、ナット１８が螺着されている。ねじ部１９の外径寸法ｔ１、ｔ２はフレームの先端に行くに従って次第に小さくなるように形成されている（ｔ１＜ｔ２）。
【００４５】
このことによって、前記ナット１８を締める前はスリット９の幅を大きく維持しスリット９にチューブ１を比較的容易に挿入でき、ナット９を締めるに従ってスリット９の幅を狭めてチューブ１に固定できるようになっている。また、このような構成によれば、ナット１８によりスリット９の長さＬを調節でき、様々な幅のチューブ１に対応することが可能になる。
【図面の簡単な説明】
【００４６】
【図１】スクィーザ付きのプラスチック製（ポリプロピレン製）チューブを示す正面図。
【図２Ａ】Ａ、Ｂは、フレームおよびハンドルを拡大して示す正面図および横断面図。
【図２Ｂ】Ａ、Ｂは、フレームおよびハンドルを拡大して示す正面図および横断面図。
【図３】チューブを巻き上げる際のハンドルの操作方法を説明するための図。
【図４】チューブを巻き上げた後のハンドルの操作方法を説明するための図。
【図５】チューブを巻き上げた状態での正面図。
【図６】チューブを巻き上げた状態での側面図。
【図７Ａ】Ａ、Ｂは、別の実施形態に係るチューブスクィーザを示す正面図及び縦断面図。
【図７Ｂ】Ａ、Ｂは、別の実施形態に係るチューブスクィーザを示す正面図及び縦断面図。
【図８】更なる別の実施形態のチューブを示す正面図。
【図９】チューブの陳列状態を示す図。
【図１０Ａ】更なる別の実施形態のチューブスクィーザを示す正面図。
【図１０Ｂ】更なる別の実施形態のチューブスクィーザを示す正面図。
【図１１】更なる別の実施形態のチューブスクィーザを示す正面図。
【図１】
2004533973.tif 000003
【図２Ａ】
2004533973.tif 000004
【図２Ｂ】
2004533973.tif 000005
【図３】
2004533973.tif 000006
【図４】
2004533973.tif 000007
【図５】
2004533973.tif 000008
【図６】
2004533973.tif 000009
【図７Ａ】
2004533973.tif 000010
【図７Ｂ】
2004533973.tif 000011
【図８】
2004533973.tif 000012
【図９】
2004533973.tif 000013
【図１０Ａ】
2004533973.tif 000014
【図１０Ｂ】
2004533973.tif 000015
【図１１】
2004533973.tif 000016
【国際公開パンフレット】
2004533973.tif 000017
2004533973.tif 000018
2004533973.tif 000019
2004533973.tif 000020
2004533973.tif 000021
2004533973.tif 000022
2004533973.tif 000023
2004533973.tif 000024
2004533973.tif 000025
2004533973.tif 000026
2004533973.tif 000027
2004533973.tif 000028
2004533973.tif 000029
2004533973.tif 000030
2004533973.tif 000031
2004533973.tif 000032
2004533973.tif 000033
2004533973.tif 000034
2004533973.tif 000035
2004533973.tif 000036
2004533973.tif 000037
2004533973.tif 000038
2004533973.tif 000039
2004533973.tif 000040
2004533973.tif 000041
2004533973.tif 000042
2004533973.tif 000043
2004533973.tif 000044
2004533973.tif 000045
2004533973.tif 000046
2004533973.tif 000047
【国際調査報告】
2004533973.tif 000048